(57)【要約】【課題】ユーザに追加コストを負担させずに携帯電子機器を外部物品に設置可能にする携帯電子機器の保護カバー及び携帯電子機器を提供する。【解決手段】本発明は、筐体と、筐体の上面に設けられた表示部とを有する携帯電子機器の保護カバー１であって、表示部を覆う天板部６と、天板部６の端部から延出して設けられ、天板部６を外部物品の突出部位に係止可能に構成された係止部７と、筐体を天板部６に支持するストッパ９及び嵌合突起１５とを備えることを特徴とする。【選択図】図２
2008203438.tif 000002
【特許請求の範囲】
【請求項１】
筐体と、前記筐体の上面に設けられた表示部とを有する携帯電子機器の保護カバーであって、
前記表示部を覆う天板部と、
前記天板部の端部から延出して設けられ、前記天板部を外部物品の突出部位に係止可能に構成された係止部と、
前記筐体を前記天板部に支持する支持部と、
を備えることを特徴とする携帯電子機器の保護カバー。
【請求項２】
前記係止部は、弾性を有する材料で形成されており、前記外部物品の前記突出部位を挟持する挟持片を有することを特徴とする請求項１に記載の携帯電子機器の保護カバー。
【請求項３】
前記支持部は、前記筐体に設けられた嵌合凹部と嵌合する嵌合突起を有することを特徴とする請求項１又は２のいずれか１項に記載の携帯電子機器の保護カバー。
【請求項４】
前記嵌合突起は２個互いに離間して配置されており、前記嵌合凹部と嵌合することによって、前記筐体を、前記嵌合突起を結ぶ軸線を回動中心として回動可能に支持することを特徴とする請求項３に記載の携帯電子機器の保護カバー。
【請求項５】
請求項１から４のいずれか１項に記載の携帯電子機器の保護カバーを備えることを特徴とする携帯電子機器。
【請求項６】
請求項１から４のいずれか１項に記載の携帯電子機器の保護カバーを備えることを特徴とする調律器。
【発明の詳細な説明】
【技術分野】
【０００１】
本発明は、調律器等の携帯電子機器の保護カバー及び携帯電子機器に関する。
【背景技術】
【０００２】
楽器奏者等が使用する調律器等の携帯電子機器は、使用する際に譜面台等の他の物品に載置されることがあるが、もともとこれら他の物品は携帯電子機器を載置するようには設計されていないため、載置した携帯電子機器が不安定で落下しやすい、加えて譜面台に設置する場合は、演奏中に携帯電子機器が邪魔になって譜面がめくりにくくなる等の問題がある。
【０００３】
この問題に対して、特許文献１には、係合具で譜面台を挟持することによって、譜面台に設置可能な補助棚が開示されている。
【特許文献１】特開２００２−３２８６７５号公報
【発明の開示】
【発明が解決しようとする課題】
【０００４】
しかしながら、特許文献１に開示された補助棚は、調律器のみのために作られたものではなく、サキソフォンの予備リード、松脂、曲の途中で使用する副楽器等、多種多様なものを載置できるように、一般的な調律器よりもかなり大きく作られたものが多い。従って、当該補助棚を調律器のためだけに持ち歩くのはわずらわしいことも多い。
【０００５】
また、当該補助棚は携帯電子機器とは別の製品であるため、使用するためには新たに購入する必要があり、ユーザにとっては余計なコストとなるという問題がある。
【０００６】
本発明は上記事情に鑑みて成されたものであり、ユーザに追加コストを負担させずに携帯電子機器を他の物品に設置可能にする携帯電子機器の保護カバー及び携帯電子機器を提供することを目的とする。
【課題を解決するための手段】
【０００７】
本発明は、筐体と、前記筐体の上面に設けられた表示部とを有する携帯電子機器の保護カバーであって、前記表示部を覆う天板部と、前記天板部の端部から延出して設けられ、前記天板部を外部物品の突出部位に係止可能に構成された係止部と、前記筐体を前記天板部に支持する支持部とを備えることを特徴とする。
【０００８】
本発明の携帯電子機器の保護カバーによれば、係止部を設置対象となる外部物品の突出部位に係止させることによって、保護カバーの天板部と、天板部に支持された筐体とが他の物品に設置される。
【０００９】
前記係止部は、弾性を有する材料で形成されており、前記外部物品の前記突出部位を挟持する挟持片を有するものでもよい。この場合、挟持片が外部物品の突出部位を挟持することによって、保護カバー及び筐体が確実に設置される。
【００１０】
前記支持部は、前記筐体に設けられた嵌合凹部と嵌合する嵌合突起を有するものでもよい。この場合、保護カバーの嵌合突起と筐体の嵌合凹部とが嵌合することによって、筐体が保護カバーと確実に一体化される。
【００１１】
前記嵌合突起は２個互いに離間して配置されており、前記嵌合凹部と嵌合することによって、前記筐体を、前記嵌合突起を結ぶ軸線を回動中心として回動可能に支持するものでもよい。
【００１２】
この場合、筐体を、嵌合突起を結ぶ軸線を回動中心として回動させ、保護カバーと一定の角度を持たせることによって、保護カバーをスタンドとして筐体を自立させることができる。
【００１３】
また、本発明の携帯電子機器は、本発明の保護カバーを備えていることを特徴とする。本発明の携帯電子機器によれば、通常時は保護カバーによって表示部を保護しつつ、他の補助棚等を購入しなくとも、他の物品に設置可能な携帯電子機器を構成することができる。
【００１４】
また、本発明の調律器は、本発明の保護カバーを備えていることを特徴とする。本発明の調律器によれば、通常時は保護カバーによって表示部を保護しつつ、他の補助棚等を購入しなくとも、譜面台に設置可能な調律器とすることができる。
【発明の効果】
【００１５】
本発明の携帯電子機器の保護カバーによれば、携帯電子機器に適用することで、他のパーツを必要とせずに、外部物品に設置可能に携帯電子機器を構成することができる
【発明を実施するための最良の形態】
【００１６】
以下、本発明の第１実施形態の携帯電子機器の保護カバー（以下、単に「保護カバー」と称する。）及び携帯電子機器について、図１から図５を参照して説明する。
図１（ａ）は本実施形態の保護カバー１を備えた調律器（携帯電子機器）２を、保護カバー１を一部破断して示す平面図である。調律器２は、筐体３の上面に設けられた表示部４と、表示部４の周囲に設けられた操作キー５とを備えて構成されている。保護カバー１は、通常時において、図１（ｂ）に示すように、表示部４を覆うように装着されている。
【００１７】
図２は保護カバー１の斜視図である。保護カバー１は、表示部４が設けられた調律器２の上面を覆って保護する天板部６と、天板部６の端部から延出して設けられた係止部７と、係止部７に対して天板部６の左右の端部から係止部７と同一方向に延出して設けられた側壁部８と、天板部６の係止部７と対向する端部から係止部７と同一方向に延出して設けられたストッパ（支持部）９とを有して構成されている。保護カバー１はポリカーボネートやアクリル等の樹脂材料やアルミ等の金属を公知の方法で成形することによって得ることができる。
【００１８】
係止部７は、天板部６から略垂直に調律器２の厚さと同程度の長さ延出する上部側壁（挟持片）１０と、上部側壁１０の端部が天板部６の外側に略垂直に折り返された折り返し部１１と、折り返し部１１の端部が天板部６に向かって折り返された係止側壁（挟持片）１２とを有して構成されている。
【００１９】
図３に拡大して示すように、上部側壁１０と係止側壁１２とは、折り返し部１１において鋭角、例えば約２０度をなすように設けられており、上部側壁１０と係止側壁１２との間隔は、折り返し部１１から天板部６に向かって徐々に広がるように構成されている。
上部側壁１０と係止側壁１２との間の距離は、後述する理由から、最も短い折り返し部１１付近において、１ミリメートル前後であることが好ましい。
【００２０】
図２に示すように、側壁部８は、天板部６から略垂直に、調律器２の厚さの半分程度延出している。また、図３に示すように、左右の側壁部８には、天板部６に対してほぼ線対称となる上部側壁１０付近の位置において、それぞれ２本の切り欠き１３が５ミリメートル程度の間隔で側壁部８の中程まで設けられ、各切り欠き１３の間の舌片１４が側壁部８他の部位に比して高い弾性を有するように形成されている。各舌片１４の端部には円柱形の嵌合突起（支持部）１５が、半分側壁部８の端部から突出するように、かつ内側に突出して設けられている。
嵌合突起１５は調律器２の側面の、厚さ方向においてほぼ中心の位置に設けられた略円形の図示しない嵌合凹部と嵌合するように形成されている。
【００２１】
また、側壁部８の嵌合突起１５が設けられていない端部には、図２に示すように、略長方形の切り欠き１６が設けられており、保護カバー１を調律器２に装着した際に、図１（ｂ）に示すように、調律器２の筐体３に設けられたジャック１７に干渉せず、保護カバー１を装着したままで、電子楽器等のオーディオプラグを調律器２に接続することが可能となっている。
【００２２】
ストッパ９は、係止部７と対向する天板部６の辺の左右の端部から係止部と同一方向に延出して設けられており、延出した端部は係止部７の方向にわずかに折り返されている。
【００２３】
上記のように構成された保護カバー１の使用時の動作について、図１（ｂ）及び図４を参照して説明する。
調律器２の保護カバーとして使用する通常時には、図１（ｂ）に示すように、天板部６が表示部４を覆うように保護カバー１を装着する。このとき、側壁部８の嵌合突起１５と調律器２の筐体３の側面に設けられた嵌合凹部（不図示）とが嵌合し、さらに、ストッパ９の折り返された端部も筐体に３に設けられた図示しない凹部と嵌合する。これらの嵌合によって、調律器２が保護カバー１と一体になるように支持され、運搬時等に表示部４が外力等から保護されるとともに、操作キー５が意図と関係なく押圧されることが防止される。
【００２４】
調律器２を譜面台に設置する際には、調律器２から保護カバー１を取り外し、図４に示すように、調律器２の底面が天板部６に接するように、すなわち、表示部４及び操作キー５が折り返し部１１側に位置するように反転させた状態で、嵌合突起１５と嵌合凹部とを嵌合させる。この状態で表示部４を上方に向けながら、図４に示すように譜面台（外部物品）１８の譜面受け（突出部位）１９を、上部側壁１０と係止側壁１２との間に進入させる。
【００２５】
上述のように、上部側壁１０と係止側壁１２との距離は、最短部分で、１ミリメートル前後と、一般的な譜面受けの厚さ１．６ミリメートルより若干短く形成されているため、譜面受け１９は折り返し部１１付近において、上部側壁１０と係止側壁１２とを弾性変形させて、上部側壁１０と係止側壁１２との間に挟持される。これによって保護カバー１と一体となった調律器２が譜面台１８に確実に固定される。
【００２６】
また、調律器２は左右の嵌合突起１５を結ぶ軸線を回動中心として、保護カバー１と調律器２とが所定の角度をなすように回動させることによって、図５に示すように、保護カバー１を簡易スタンドとして調律器２を自立させることも可能である。
【００２７】
本実施形態の保護カバー１によれば、上部側壁１０と係止側壁１２とからなる係止部７が、譜面台１８の突出した譜面受け１９を挟持することによって、譜面台１８に確実に固定することができる。また、調律器２は自身の嵌合凹部及び凹部と保護カバー１の嵌合突起１５及びストッパ９の端部とがそれぞれ嵌合することによって、保護カバー１に支持されるので、調律器２を譜面台１８に確実に設置することができる。
【００２８】
また、調律器２を譜面受け１９に設置した際に、譜面受け１９の上部には厚みの少ない係止側壁１２しか存在しないので、譜面台１８上の譜面をめくる際に邪魔になりにくく、良好な演奏環境を確保することができる。
【００２９】
また、係止部７に対向する天板部６の辺の左右の端部からストッパ９が延出して設けられているため、万一嵌合突起１５と調律器２の嵌合凹部との嵌合が外れても、ストッパ９によって調律器２の落下が防止されるので、安全に調律器２を譜面台１８に設置することができる。
【００３０】
さらに、側壁部８には調律器２に設けられたジャック１７と干渉しないように切り欠き１６が設けられているので、調律器２を譜面台１８に設置した状態で、電子楽器等のオーディオプラグを接続して調律作業等を行うことができる。
【００３１】
加えて、嵌合突起１５と嵌合凹部とは、調律器２の回動中心になるように調律器２と保護カバー１とを支持しているので、譜面台を使用しない際にも保護カバー１を簡易スタンドとして利用して、調律器２を見やすい状態に自立させることができる。
【００３２】
そして、保護カバー１は通常時に表示部４が設けられた調律器２の上面を保護しつつ、譜面台１８への設置機能をも有するので、保護カバー１を標準装備品として調律器２を構成すれば、補助棚等を別に購入することなく、調律器２を譜面台１８に良好に設置することができる。
【００３３】
次に、本発明の第２実施形態について、図６及び図７を参照して説明する。本実施形態と上述の第１実施形態との異なるところは、支持部の形状、及び係止部の形状である。なお、上述の第１実施形態と同様の構成要素については、同一の符号を付し、重複する説明を省略する。
【００３４】
図６は、本実施形態の保護カバー２１を調律器２２に装着した状態を模式的に示す側面図である。本実施形態の保護カバー２１の係止部２３は、上部側壁２４が調律器の厚みとほぼ同一の長さ延出したあと、その端部が外側に向かって緩やかなアーチ状に折り曲げられて係止側壁２５が形成されている。係止側壁２５の端部は上部側壁２４に接近しており、わずかに外側に折り返されてツマミ部２６が形成されている。
【００３５】
上部側壁２４及びストッパ２７の内側面の高さ方向中央部には、それぞれ長手方向に沿って係合レール２８が突出して設けられている。保護カバー２１の装着対象である調律器２２の上部側壁２４及びストッパ２７に接する側面には、係合溝２９が、係合レール２８と係合可能に幅方向に沿って設けられている。また、本実施形態の保護カバー２１には側壁部はなく、保護カバー２１を装着した状態で調律器２２の側面が露出するように構成されている。
【００３６】
上記のように構成された保護カバー２１の使用時の動作について、図６及び図７を参照して以下に説明する。
保護カバーとして使用する通常時においては、調律器２２を保護カバー２１の側方から挿入して、図６に示すように調律器２２の各係合溝２９を対応する係合レール２８に係合させる。この状態において調律器２２の表示部及び操作キーは、保護カバー２１の天板部６によって保護される。
【００３７】
調律器２２を譜面台１８に設置する際は、調律器２２を側方にスライドして保護カバー２１から外した後、反転させて調律器２２の底面側を天板部６に向けた状態で再び挿入し、係合溝２９を係合レール２８に係合させる。
【００３８】
続いて係止側壁２５のツマミ部２６をつまんで係止側壁２５と上部側壁２４との間に間隔を作り、図７に示すように、譜面台１８の譜面受け１９を係止側壁２５と上部側壁２４との間に挟みこむ。このとき譜面受け１９は、係止側壁２５の弾性力によって係止側壁２５と上部側壁２４との間に挟持され、調律器２２と一体となった保護カバー２１が、譜面台１８の下部に確実に固定される。
【００３９】
本実施形態の保護カバー２１によれば、保護カバー２１に設けられた係合レール２８と調律器２２に設けられた係合溝２９との係合によって調律器２２を保護カバー２１に支持するので、簡素な構造で製造のしやすい保護カバーを形成することができる。
【００４０】
また、係止側壁２５がアーチ状に形成されているので、バネ状の形状になることによって、係止側壁２５の弾性が向上し、より確実に譜面台１８の突出した譜面受け１９を挟み込み、保護カバー２１及び調律器２２を確実に係止固定することができる。
【００４１】
次に、本発明の第３実施形態について、図８及び図９を参照して説明する。本実施形態と上述の第１及び第２実施形態との異なるところは、支持部の形状、及び係止部の形状である。なお、上述の各実施形態と同様の構成要素については、同一の符号を付し、重複する説明を省略する。
【００４２】
図８は本実施形態の保護カバー３１に調律器３２を収容した状態を、保護カバー３１を断面図にて示す模式図である。本実施形態の保護カバー３１は、係止部３３に対向する天板部６の辺から、係止部３３と同一方向に略垂直に下部側壁３４が延出している。下部側壁３４の端部にはヒンジ３５が設けられており、天板部６と略同一の大きさの蓋部３６がヒンジ３５に回動可能に取付けられている。蓋部３６の係止部３３側の端部には、図示しないツメ等の係合機構が設けられており、係止部３３に係止固定可能に構成されている。すなわち、保護カバー３１の支持部は、下部側壁３４と蓋部３６とを有して構成されている。
【００４３】
本実施形態における係止部３３は、図８に示すように、上部側壁３７と折り返し部３８との間、及び折り返し部３８と係止側壁３９との間がいずれもほぼ直角に折り曲げられている。従って、上部側壁３７と係止側壁３９とは略平行の位置関係になるように構成されている。このとき、上部側壁３７と係止側壁３９との間隔は、一般的な譜面台の譜面受けの厚さである１．６ミリメートルから２ミリメートル程度に形成するのが好ましい。
【００４４】
また、保護カバー３１の側壁部４０は、図９に示すように、上壁３７及び下部側壁３４３４と略同一の高さまで延出しており、調律器３２のジャック１７にあたる部位には切り欠き４１が設けられている。すなわち、本実施形態の保護カバー３１は、回動自在の蓋を備える箱状に形成されている。
【００４５】
上記のように構成された保護カバー３１の使用時の動作について、以下に説明する。
まず、通常時に保護カバーとして使用する際は、蓋部３６を開いてから、図８に示すように保護カバー３１の内部に調律器３２を収容し、図示しない係合機構によって蓋部３６を係止部３３に係止固定し、密閉する。このとき、表示部が天板部６、蓋部３６のいずれに対向する状態でも収容は可能であるが、後述する譜面台への設置時の動作を考慮すると、表示部が蓋部３６に対向するように保護カバー３１内に収容するのが好ましい。
【００４６】
譜面台１８に調律器３２を設置する際は、調律器３２の表示部が蓋部３６に対向するように保護カバー３１に収容された状態で、図９に示すように、譜面台１８の譜面受け１９を係止側壁３９と上部側壁３７との間に挟むように保護カバー３１を差し込んで、調律器３２及び保護カバー３１を譜面台１８に設置する。このとき、調律器３２及び保護カバー３１の重みによって、調律器３２及び保護カバー３１が譜面台１８に確実に固定される。
【００４７】
本実施形態の保護カバー３１によれば、表示部が蓋部３６に対向するように調律器３２を保護カバー３１に収容すれば、通常時は蓋部３６によって調律器３２が保護されつつ、譜面台１８に設置する際にもそのままの状態で設置することができる。従って、譜面台１８への設置時に、調律器３２を保護カバー３１から取り出し、反転して再度収容する必要がないので、ユーザの操作を少なくし、使用時の利便性を向上させることができる。
【００４８】
また、保護カバー３１を譜面台１８に設置する際に譜面受け１９の上に位置する係止側壁３９が平坦に形成されているため、譜面をめくりやすい状態を保持しつつ調律器３２を設置することができる。
【００４９】
さらに、下部側壁３４と蓋部３６とで対象となる調律器３２を支持固定するので、嵌合凹部や係合溝等の、保護カバーと対応する構造を調律器の筐体に設ける必要がない。従って、保護カバー３１の適用対象である調律器３２のデザインの自由度を高めることができる。
【００５０】
以上、本発明の実施形態について説明したが、本発明の技術範囲は上記実施の形態に限定されるものではなく、本発明の趣旨を逸脱しない範囲において種々の変更を加えることが可能である。
【００５１】
例えば、上述の各実施形態においては、支持部として嵌合突起、係合レール等の機構を有する例を説明したが、支持部の構成はこれに限定されず、調律器に対応する機構を設ければ、磁石や粘着材など、公知のあらゆる支持機構を用いることができる。
【００５２】
また、上述の各実施形態においては、譜面台に設置する例を説明したが、設置対象となる外部物品の形状に合わせて係止部を形成すれば、他の外部物品に設置可能な保護カバーを形成することも可能である。
【００５３】
さらに、適用対象となる携帯電子機器も上述の各実施形態における調律器には限定されず、タイマーやセンサ等、あらゆる携帯電子機器に適用可能である。
【図面の簡単な説明】
【００５４】
【図１】（ａ）は本発明の第１実施形態の携帯電子機器の保護カバーを調律器に装着した状態を一部破断して示す平面図、（ｂ）はその斜視図である。
【図２】同実施形態の携帯電子機器の保護カバーの斜視図である。
【図３】同実施形態の係止部周辺の部分拡大図である。
【図４】同実施形態の携帯電子機器の保護カバーを譜面台に取付けた状態を示す図である。
【図５】同実施形態の携帯電子機器の保護カバーを調律器のスタンドとして使用する状態を示す側面図である。
【図６】本発明の第２実施形態の携帯電子機器の保護カバーを調律器に装着した状態を模式的に示す側面図である。
【図７】同実施形態の携帯電子機器の保護カバーを譜面台に取付けた状態を示す図である。
【図８】本発明の第３実施形態の携帯電子機器の保護カバーを調律器に装着した状態を模式的に示す断面図である。
【図９】同実施形態の携帯電子機器の保護カバーを譜面台に取付けた状態を示す図である。
【符号の説明】
【００５５】
１、２１、３１…保護カバー、２、２２、３２…調律器（携帯電子機器）、４…表示部、６…天板部、７、２３、３３…係止部、９、２６…ストッパ（支持部）、１０、２４、３７…上部側壁（挟持片）、１２、２５、３９…係止側壁（挟持片）、１５…嵌合突起（支持部）、１８…譜面台（外部物品）、１９…譜面受け（突出部位）、２７…係合レール（支持部）、３４…下部側壁（支持部）、３６…蓋部（支持部）
【図１】
2008203438.tif 000003
【図２】
2008203438.tif 000004
【図３】
2008203438.tif 000005
【図４】
2008203438.tif 000006
【図５】
2008203438.tif 000007
【図６】
2008203438.tif 000008
【図７】
2008203438.tif 000009
【図８】
2008203438.tif 000010
【図９】
2008203438.tif 000011